(57)【要約】      （修正有）【課題】入気開閉窓と窓枠が外気の変化によって開閉して不安定な動きを起こす課題を解決する畜舎用入気開閉窓の提供。【解決手段】入気開閉窓F1と、張設したメインケーブルA1と、メインケーブルA1の一方に設けられ送り戻しを行うケーブル送り装置と、一端側が該メインケーブルA1の中間位置に接続され他端側が入気開閉窓F1の開閉端部に接続されて入気開閉窓F1の荷重に逆らって緊張させるサブケーブルA4と該サブケーブルA4の緊張力によって開閉動作を行うようにした開閉構造と、少なくとも該入気開閉窓F1が閉状態もしくは閉状態に近い開閉位置において該開閉機構の開方向の緊張力を形成するようにした安定構造とを具備する。【選択図】図７
2007063906.tif 000002
【特許請求の範囲】
【請求項１】
入気開閉窓（F1)と、該入気開閉窓（F1)の窓枠(F2)に沿って緊張状態になるように張設したメインケーブル(A1)と、該メインケーブル(A1)の一方に設けられ該メインケーブル(A1)の送り出し送り戻しを行うケーブル送り装置(E1)と、一端側が該メインケーブル(A1)の中間位置に接続され他端側が入気開閉窓(F1)の開閉端部(G4)に接続されて入気開閉窓の荷重に逆らって緊張させるサブケーブル(A4)と該サブケーブル(A4)の緊張力によって開閉動作を行うようにした開閉構造と、少なくとも該入気開閉窓(F1)が閉状態もしくは閉状態に近い開閉位置において該開閉機構の開方向の緊張力を形成するようにした安定構造とから構成した、畜舎用入気開閉窓システム。
【請求項２】
一端が開閉端部(G4)に接続され、他端が鶏舎(1)の基端部から延長された延長部(G1)に接続されるとともに、少なくとも該入気開閉窓(F1)が閉状態もしくは閉状態に近い開閉位置において該開閉機構の開方向の緊張力をバネ要素(G2)によって形成させて上記安定構造を形成した、畜舎用入気開閉窓システム。
【請求項３】
一端が開閉端部(G4)に接続され、他端が鶏舎(1)の基端部から延長された延長部(G1’)に接続されるとともに、少なくとも該入気開閉窓(F1)が閉状態もしくは閉状態に近い開閉位置において該開閉機構の開方向の緊張力をループ型ケーブル構造(G７)によって形成させて上記安定構造を形成した、畜舎用入気開閉窓システム。
【発明の詳細な説明】
【技術分野】
【０００１】
本発明は畜舎における換気を自動的に行う畜舎用入気開閉窓システムに関し、特に、外気の影響によって開閉窓が不安定に開閉することを防止した、安定構造を備えた、畜舎用入気開閉窓システムに関する。なお、該開閉窓は、換気に適した場所に設置することが好ましい。従って、この窓は、通気口や、通気口の開閉扉等も包含する。
【背景技術】
【０００２】
畜舎等の飼育室内に外気を供給する換気用入気口は、例えば鶏舎の構造、換気方法、収容するトリの羽数に相応した形式のものが選択される。一般的には、飼育室（ケージ室）の天井に長手方向に平行して設けられるスリット式入気口では１対のフラップを、ケージ室の両側壁の上部に設けられるバッフル式入気口では１列のバッフルを開閉して、入気口の開度を調整している。その構造は、典型的には上記のように操作ワイヤの一方の端部をフラップ又はバッフルに固定し、他方の端部を開閉作動駆動部に連結され、入気口とほぼ平行に長手方向に摺動するケーブル（本発明の構成ではメインケーブルに相当する）のような細長い摺動部材にワイヤクリップで固定して、例えば温度センサを用いたコントローラの設定値によって開閉作動駆動部を作動し、摺動部材及び操作ワイヤを介してフラップ又はバッフル開閉するようになっている。さらに、この摺動ケーブルと開閉機構との間にその緊張方向の長さを調整する、開閉微調整機構が備えられている（特許文献１）。
【特許文献１】特開平１０−２４３７５５  公開公報
【発明の開示】
【発明が解決しようとする課題】
【０００３】
上述の入気開閉窓は、該入気開閉窓の自重と、開閉動作を行う摺動ケーブルによって緊張させた力とが釣り合った状態において、開閉位置が決まる構造をしている。そして、入気開閉窓が閉じた状態もしくは、閉じる直前の状態において、入気開閉窓の開く方向に作用する力、すなわち、入気開閉窓自身の重さは、非常に小さくなる。その理由は、下端を軸として動作する該窓がほぼ垂直状態に近づくためである（当然ながら入気開閉が水平に近い開き角度の状態で荷重は最大になる）。従って、開閉動作に必要とする摺動ケーブルによる緊張力は閉状態もしくは閉状態周辺において、わずかな緊張力によって動作が可能である。しかしながら、わずかな緊張力のつりあいで開閉位置が決定しているために、外気の特に風の強弱に応じて、入気開閉窓が、窓枠に対してぶつかり、打撃性の騒音が生じる問題が生じていた。
【０００４】
本発明は以上の入気開閉窓と窓枠が外気の変化によって開閉して不安定な動きを起こす課題を解決することにある。
【課題を解決するための手段】
【０００５】
前記課題を実現するため、本発明に係わる請求項１に記載の畜舎用入気開閉窓システムは、入気開閉窓（F1)と、該入気開閉窓（F1)の窓枠(F2)に沿って緊張状態になるように張設したメインケーブル(A1)と、該メインケーブル(A1)の一方に設けられ該メインケーブル(A1)の送り出し送り戻しを行うケーブル送り装置(E1)と、一端側が該メインケーブル(A1)の中間位置に接続され他端側が入気開閉窓(F1)の開閉端部(G4)に接続されて入気開閉窓の荷重に逆らって緊張させるサブケーブル(A4)と該サブケーブル(A4)の緊張力によって開閉動作を行うようにした開閉構造と、少なくとも該入気開閉窓(F1)が閉状態もしくは閉状態に近い開閉位置において該開閉機構の開方向の緊張力を形成するようにした安定構造とから構成したことを特徴とするものである。
【０００６】
本発明に係わる請求項２に記載の畜舎用入気開閉窓システムは、請求項１のシステムにおいて、一端が開閉端部(G4)に接続され、他端が鶏舎(1)の基端部から延長された延長部(G1)に接続されるとともに、少なくとも該入気開閉窓(F1)が閉状態もしくは閉状態に近い開閉位置において該開閉機構の開方向の緊張力をバネ要素(G2)によって形成させて上記安定構造を形成したことを特徴とするものである。
【０００７】
本発明に係わる請求項３に記載の畜舎用入気開閉窓システムは、請求項１のシステムにおいて、一端が開閉端部(G4)に接続され、他端が鶏舎(1)の基端部から延長された延長部(G1’)に接続されるとともに、少なくとも該入気開閉窓(F1)が閉状態もしくは閉状態に近い開閉位置において該開閉機構の開方向の緊張力をループ型ケーブル構造(G７)によって形成させて上記安定構造を形成したことを特徴としている。
【発明の効果】
【０００８】
本発明に係わる請求項１に記載の畜舎用入気開閉窓システムは、入気開閉窓（F1)と、該入気開閉窓（F1)の窓枠(F2)に沿って緊張状態になるように張設したメインケーブル(A1)と、該メインケーブル(A1)の一方に設けられ該メインケーブル(A1)の送り出し送り戻しを行うケーブル送り装置(E1)と、一端側が該メインケーブル(A1)の中間位置に接続され他端側が入気開閉窓(F1)の開閉端部(G4)に接続されて入気開閉窓の荷重に逆らって緊張させるサブケーブル(A4)と該サブケーブル(A4)の緊張力によって開閉動作を行うようにした開閉構造によって、基本的な開閉動作を達成させるとともに、この基本的な開閉動作では不安定となる、少なくとも該入気開閉窓(F1)が閉状態もしくは閉状態に近い開閉位置において該開閉機構の開方向の緊張力を形成するようにした安定構造を追加したことで、特に該入気開閉窓(F1)が閉状態もしくは閉状態に近い開閉位置において不安定であった窓が、緊張状態を形成して、入気開閉窓（F1)と窓枠（F2)とがぶつかったり擦れたりして生じる騒音を抑えることを可能とする効果を奏するものである。
【発明を実施するための最良の形態】
【０００９】
以下、本発明にかかわる一形態を示す構成について図１乃至図３を参照して説明する。
【００１０】
図１は畜舎用入気開閉窓システムであり、本発明の安定構造を設ける前の基礎的な構造を示す。図２は、図１の部分拡大図であり、図３は図１の畜舎の外側から観察した斜視図であり、構造を見せるために外壁だけを取り除いた状態を示す。
鶏舎１の側方壁面において、該壁面の長手方向に等間隔に入気開口窓が設けられているシステムであり、開閉窓は鶏舎長手方向でしかも等間隔に複数（図１では３つの開閉窓）が設置され、一台の駆動モータから成るケーブル送り装置E1で開閉制御を行うものである。該ケーブル送り装置E1には、メインケーブルA1の一端側（図１において左側）が部分的に巻き取られ、且つ、軸方向に送り出し送り戻しができる構成としている。メインケーブルA1の他端には緊張用ウエイトA5が接続される。従って、メインケーブルA1の一端側のケーブル送り装置E1を作動させてメインケーブルA1を送り出すと、該緊張用ウエイトA5が同長さ分下がって、メインケーブルA1はたるまずに、摺動がなされる。このメインケーブルA1の中間位置には、圧着具A2を介して、サブケーブルA4が連結されている。
【００１１】
図１における３つの入気開閉窓F1には、下方に蝶番が設けられて入気開閉窓F1を回動自在に支持し、該回動軸F3は、入気開閉窓F1の下端に適合するように設けられ、結果として、入気開閉窓F1の下方を回動軸F3にして、上側で開閉が行われるように構成されている。一方、窓枠F2は、鶏舎１の内側に向かって厚みを備え、前記回動軸F3が鶏舎１の外側寄りに設けられ、入気開閉窓F1の上端部は、上記厚み分だけ鶏舎１に対して内側に来るように角度決めがされている。従って、入気開閉窓F1は何れも回動軸F3中心に鶏舎の内側に向かって、重力に起因して回動して開くようにされている。
【００１２】
以上の入気開閉窓F1の上端部には、ケーブルを調節自在に把持する、延長グリップ部F4が設けられている。また、該延長グリップ部F4の端部とほぼ一致する位置に、摺動リングF5が窓枠F2に取り付けられている（所望により壁面に取付けることができる）。
上記のサブケーブルA4の他端側はこの摺動リングF5のリング部分を通過しつつ、延長グリップ部F4に調節自在に接続している。
【００１３】
また、サブケーブルA4のもう一端側は前述の通り、メインケーブルA1に圧着具A2と摺動リングF5との間には、時期調節装置Eが設けられている。
図１のＸの位置において（更に詳細は図２を参照）、この時期調節装置Eについて説明する。
【００１４】
時期調節装置Ｅは、鶏舎の壁面に固定され回動する固定滑車E1が二つ上側に設けられ、これら滑車は同じ径で取付け高さも同じ位置に設けられいる。次ぎに、これら２つの固定滑車E1には、サブケーブルA4がＵ字を形成するように通過させ、該Ｕ字状の中央位置には、自由滑車E2が設けられ、これら３つの滑車には該サブケーブルA4が自由に通過できるようにしている。さらに、自由滑車E2には、その回動を妨げないように小さめの小ウエイトE3が下方に取り付けられている。さらに、該小ウエイトE3の下方には板E5が配置されている。更に、この板E5の高さは、高さ調節用ピンE4の隙間を選択することで自由の高さを決定することができる。
【００１５】
以上説明した時期調節装置Ｅの動作を次ぎに説明する。
図１のＺ位置にある時期調節装置Ｅにおいて、小ウエイトE3は板E5に接触していない状態を示している。この状態において、サブケーブルA4は、小ウエイトE3の荷重による緊張状態にあり、この緊張力は、２つの固定滑車E1の中間に位置づけられた自由滑車E2を小ウエイトE3が荷重により下方に向かう力によって得られる。この小ウエイトE3に起因する緊張力は、サブケーブルA4が接続される入気開閉窓の延長グリップ部F4を上方に引き寄せることができる（この力が得られる程度の重さが予め設定されている）。次ぎに、図１の右端の時期調節装置ＥのＺの状態から、徐々にメインケーブルA1を延ばすと（即ち、緊張用ウエイトA5の方向に送り出す）、小ウエイトE3が板E5に接触するようになる。例えば、図１の中央における時期調節装置ＥのＹにおける状態になる。この状態になると、小ウエイトE3の荷重はサブケーブルA4にかからなくなる。そうすると、メインケーブルA1の送り出し戻しに起因して動くサブケーブルA4の動きがそのまま、入気開閉窓の開閉動作に直結して動作するようになる。
【００１６】
一方、時期調節装置ＥのＸで示した状態では、入気開閉窓F1が完全に開いた状態にある。即ち、入気開閉窓の開き角度は窓枠F2の構造的な最大開き角度に達している。この状態になると、メインケーブルA1を更に送り出して、サブケーブルA4を更に図１において右側へ弛ませても、入気開閉窓F1は、限界の開きまで達しているために、変化は生じない。
【００１７】
以上のように図１を代表とする実施例においては、時期調節装置Ｅ、入気開閉窓F1の回動軸F3の位置ならびに、窓枠F2の突出状態によって決定された条件により、安定した閉じた窓の状態、リニアに開閉する窓の状態、さらに、安定して開いた窓の状態、これらの動きを得ることができる。これらの動作を選択するには、高さ調節用ピンで形成された隙間に、板E5を好みの位置に差し込むこと、ならびに、メインケーブルA1の送り出し戻しの中心位置を決定するだけで、上記の開閉窓の動きを得ることができる。また、上記板E5の位置を決定にあたって、例えば、図２に示したように、高さ調節用ピンの位置を一番遅く開くグループである、Ｘグループにおいては、Ｘ上、Ｘ中およびＸ下を目安として設定可能とし、次ぎに遅く開くグループＹにおいては、Ｙ上、Ｙ中およびＹ下をの記載している高さ調節用ピンを目安とすることができる。さらに、一番最初に開くグループであるＺグループにおいても、同様にＺ上、Ｚ中およびＺ下の記載している高さ調節用ピンを目安とすることができる。例えば、各々のグループの上中下に関しては微調整用と考えて、Ｘ、ＹおよびＺの３つのグループに分けて、入気開閉窓の開閉タイミングを取ることができる。また、更に板E5を取り除くという選択もできる。この板E5を取り除いた時期調節装置Ｅは、それに対応する入気開閉窓が常に閉じる状態を設定したことになる。（なお、図１において例示した高さ調節用ピンは、スリットの入った板材も、利用が可能である。板材は板E5の幅よりも僅かに広い間隔で板E5を挟むように設けられ、スリットは、内側に設けられる。またスリットの位置ならびに数は、例えば高さ調節用ピンE4の位置と同じ位置で設けられ、スリットの幅は、板E5の厚みに比較して若干上回る寸法とすることが好ましい）。
【００１８】
図４は、時期調節装置Ｅをスプリングの伸縮によって構成した例を示す、第２実施例を示す斜視図である。図中において、Ｓ１〜Ｓ３はスプリングであり、このスプリングと、図１の実施例に対して、時期調節装置Ｅが滑車とウエイトとの組立体から、スプリングによって構成したものに代替えしたタイプを示す。
同図において、スプリングは３つ描かれており、左側がもっとも縮まっている状態で、右側は最も伸びた状態を示している。また、ケーブル送り装置E1から関連して送り出されているメインケーブルA1には、圧着具A2を介してサブケーブルA4が連結され、このサブケーブルA4は該スプリングＳ１の一方側のリングを摺動可能に通過している。また、該スプリングＳ１の他方側は、鶏舎の壁面から立ち上がるシャフトに連結されている。
【００１９】
該スプリングＳ１の一方側のリングを通過したサブケーブルA4は、鶏舎側に相当する窓枠F2側に設けられた摺動リングF5を同じく摺動可能に通過し、入気開閉窓F1の延長グリップ部に連結される。
以上のサブケーブルA4の連結状態は、図中において記した時期調節装置Ｅを構成するスプリング等におけるＸ、ＹおよびＺの３つのスプリング（S1,S2,S3）に対して同じ連結状態としている。
【００２０】
しかしながら、図中における左側においては、入気開閉窓F1を牽引するほどサブケーブルA4を緊張させていない。それに対して、右側においては、スプリングS3が十二分に伸びるほど、サブケーブルA4が引っ張る状態にあり、その結果として、入気開閉窓F1の開閉の力点に相当する延長グリップ部F4も摺動リングF5側と接近するように作用して、その結果として、入気開閉窓は閉じられてる。
【００２１】
なお、時期調節装置ＥのＹに相当する中央の入気開閉窓F1は、左右のちょうど中間状態にある。すなわち、サブケーブルA4は適度にスプリングS2を牽引し、そして、その結果として、完全に閉めるほど強くもなく、また完全に解放するほど緩くもなくサブケーブルA4は、スプリングS2ならびに摺動リングF5を介して入気開閉窓F1の延長グリップ部F4を引き上げている。その結果として、開閉状態は中間位置になっている。このように、スプリングS1,S2,S3に対するサブケーブルA4の張り具合によって、開閉のタイミングが変化し、即ち、そのサブケーブルA4の張り具合を含めた構造が時期調節装置Ｅに対応する。なお、図５は、該スプリングを中心に拡大視した斜視図を示す。
【００２２】
図６は、図１並びに図２で説明した時期調節装置Ｅの変形実施例である。その相違点は変形型の固定滑車E6が、図１における自由滑車E2、小ウエイトE3、板E5ならびに、該板を設置するための高さ調節ピンE4に取って変わった状態である。この変形型の固定滑車E6は、図示のとおり、略オーバル状をしており、その回転中心は偏った位置に設けられている。また、サブケーブルA4は、その略オーバル状の滑車の外周に沿って取り付けられ、滑らないようにするために、必要に応じて、該変形型の固定滑車E6の外周はラバー等でコーティングすることができる。また、必要に応じて溝が切られる（図中で溝は省略している）また、該変形型の固定滑車E6を利用した時期調節装置Ｅは図中において３つの状態（Ｘ，Ｙ，Ｚ）が取られる。この３つの違いは、該変形型の固定滑車E6の角度違いならびに、サブケーブルA4の取付け位置や長さが異なるだけで、基本的な構成は同じである。
【００２３】
図中において、左側の該変形型の固定滑車E6は、サブケーブルA4が最も緩む状態に位置決めされている。従って、入気開閉窓F1は、その荷重によって、完全に開放している。この状態で、メインケーブルA1を図面においてケーブル送り装置E1側へ移動すると、徐々に該変形型の固定滑車E6が回転して、その該変形型の固定滑車E6の周囲を這うサブケーブルA4の長さが長くなり、サブケーブルA4が左側に移動することに加えて、該変形型の固定滑車E6が長さを必要とする形態となるために、サブケーブルA4の移動量よりも大きく牽引がなされる。その結果として、比較的短い移動量で、開閉の変化を持たすことができる。
【００２４】
図中において時期調節装置ＥのＹの状態がその牽引の中間状態を示し、結果として、入気開閉窓F1も中間位置になっている。また、右側のＺの状態が最も牽引量が増えた状態を示し、その結果として完全に入気開閉窓F1は閉じられている。
【００２５】
以上に説明してきた実施例に対して、本発明を構成する安定構造を追加した状態にて、以下詳細に説明する。
【００２６】
まず、図７において、第１番目の安定構造を追加させた状態を示す。図中において、１ａは鶏舎１の外壁を基礎とする枠材、Ｇ１は枠材１ａに対してネジ止めされ鶏舎側へ延長して設けられた延長部である。該延長部Ｇ１の先端側には貫通孔が設けられ、その貫通孔には紐状部Ｇ５が貫通して設けられている。貫通した紐状部Ｇ５の下方には更に上記貫通孔よりも大きな径を備えるバネ要素Ｇ２が紐状部を貫通した状態で延長部に対して取り付けワッシャを介して取り付けられ、さらに紐状部Ｇ５の下端部は、バネ要素Ｇ２が抜けないように結び目等の処理が形成されている。この結び目等の処理は、その結び目の位置によって、夏期においては、入気開閉窓F1が比較的隙間が多い状態で止まるように短めに設定することができ、その一方において、冬季では、入気開閉窓F1が完全に閉じる状態において、バネ要素による緊張力が十分に得られるように設定することができる。
一方、延長部Ｇ１の貫通孔の上方において、紐状部Ｇ５にはストッパＧ６が貫通して設けられている。このストッパは、必須のものではないが、紐状部が、上記貫通孔を必要以上に通過して下方に垂れ下がることを防止している。また、さらに紐状部５の上端は、延長グリップ部Ｆ４の一端側に相当する、バネ上方力点端部Ｇ４に対して結びつけられている。また、上記バネ要素Ｇ２が抜けないようにした結び目等によって形成された下端部が、下方力点端部Ｇ３に相当する。
【００２７】
以上から成る第１番目の安定構造は、入気開閉窓Ｆ１が閉じられた状態において、バネ上方力点端部（開閉端部）Ｇ４と下方力点端部Ｇ３との距離が最も長くなっている状態になっている。従って、その紐状部Ｇ５内に存在するバネ要素Ｇ２は、延長部Ｇ１とに挟まれて、縮まる。そのバネの反作用で延長グリップ部Ｆ４は、該バネの力によって開方向の緊張力を得ることができる。
【００２８】
一方、点線で示したサブケーブルＡ４は図１〜６の実施状態から選択することができる。ただし、安定構造に必要なバネ要素Ｇ２の緊張力が追加された分、サブケーブルの牽引力は強めにする必要がある。そして、この強く牽引した力の分だけ、入気開閉窓が閉じる際の緊張力が向上し、その結果、入気開閉窓は、閉方向のみならず開方向の双方に対して引っ張られつつ閉じられ、その緊張力が増加した分だけ、外気等で生じる変動に対しても揺るがない開閉窓を得ることができる。つまり、風の強弱に相応して生じる入気開閉窓の閉状態と開状態の繰り返しによって生じる窓のふらつきが無くなり、そのふらつきで生じた騒音もなくすことができる。
【００２９】
図８は、図７における入気開閉窓が中間位置まで開いた様子を示している。紐状部Ｇ５はたるみをもち、バネ要素Ｇ２は延びて下方に移動しているが、ストッパＧ６によって、決められた下方位置で留まっている様子を示してる。
【００３０】
図９は、図７における入気開閉窓が完全に開いた様子を示している。紐状部Ｇ５はさらに、たるみをもち、バネ要素Ｇ２は延びて下方に移動しているが、ストッパＧ６によって、決められた下方位置で留まっている様子を示してる。
【００３１】
次に、図１０において、第２番目の安定構造を図１〜６で示した実施状態の何れかの基礎的な構造に対して、追加させた状態を示す。図中において、追加した構成要素を中心に説明する。入気開閉窓の延長グリップ部Ｆ４の先端部には、紐状部Ｇ５’が追加して結線される。一方、鶏舎１の外壁を基礎とする枠材１ａから鶏舎側方向に突出させた延長部Ｇ１’を設け、その先端側に摺動リングＦ５ａを設ける。さらに、下方の枠材１ａに摺動リングＦ５ｂならびに、上方の枠材１ａにも摺動リングＦ５ｃを装着させる。各摺動リングには上記紐状部Ｇ５’が通されてその終端は、メインケーブルＡ１に対して圧着具Ａ２によって結合させる。一方、延長グリップ部Ｆ４には、基礎的な構造で説明した通り、サブケーブルＡ４が取り付けられ、適度な緊張をもってメインケーブルＡ１に結合させる。
【００３２】
こうして、作られた第２番目の安定構造を、閉じた状態の図１０、中間の状態の図１１および開いた状態の図１２に基づいて説明する。最初に図１０を参照して説明する。メインケーブルＡ１と延長グリップ部Ｆ４とは、サブケーブルＡ４によって適度な緊張状態で接続されている。また、延長グリップ部Ｆ４とメインケーブルＡ１とは、紐状部Ｇ５’によって別ルートを通って緊張状態で接続されている。この別ルートとは、入気開閉窓の開く方向側に突出して延長して設けられた延長部Ｇ１’の先端側に設けられた摺動リングＦ５ａを通過した後に何れかのルートを通りメインケーブルＡ１に戻るルートを示し、上述の通り、入気開閉窓の開く側を通ることによって、開方向への力を得ている。こうして、入気開閉窓が開く側に緊張をもたせつつ開閉動作を行うサブケーブルＡ４を設ける（このサブケーブルＡ４の実施状態としては、既に説明した図１〜図６に示した実施例の少なくとも何れか一つの入気開閉窓Ｆ１並びに窓枠Ｆ２を選択することができる）ことで、図１０のように、入気開閉窓が窓枠Ｆ２の近傍に位置決めされた状態であり、且つ強風などによる不安定要素が加わったとしても、入気開閉窓はふらつくことがないように機能させることができる。１番目の安定機構は入気開閉窓Ｆ１が窓枠Ｆ２に対して隣接した条件において入気開閉窓Ｆ１のふらつきを無くすことができるのに対して、２番目の安定機構はどの開閉位置においてもふらつき防止の効果を得ることができる特徴がある反面、構成要素が比較的多く且つ紐状部とサブケーブルとの緊張力の調節を正確に行う必要がある等、実施上の工程数が多い分コスト上不利な面が存在する。
【００３３】
図１１は、図１０で説明した第２番目の安定構造を、下方に視点を設けて描いた斜視図であり、同図は入気開閉窓Ｆ１が中開の状態を示している。なお、サブケーブルは入気開閉窓の影になっている。
【００３４】
図１２は、図１０で説明した第２番目の安定構造を、上方に視点を設けて描いた斜視図であり、同図は入気開閉窓Ｆ１が完全に開いた状態を示している。
【００３５】
ところで、上記第１番目の安定構造で説明したバネ要素は、図面ではスプリング形状として描いているが、これに特定するものではなく、例えば、バネ上方力点端部Ｇ４と、下方力点端部Ｇ３（若しくは延長部Ｇ１の先端側のいずれか）との間において、所与の緊張力を得ることによって、達成される。つまり、同じスプリングでも、図７を参照して説明した実施例では、スプリングの圧縮状態から戻る力を利用して、上記緊張力を得ているが、バネ上方力点端部Ｇ４と、下方力点端部Ｇ３（若しくは延長部Ｇ１の先端側のいずれか）の間の何れかの個所に直列的にスプリングを挿入する構造とした場合、バネの延びた状態から戻ろうとする力によって、上記緊張力を得ることができる。さらに、スプリングを利用せずに、バネ上方力点端部Ｇ４と、下方力点端部Ｇ３（若しくは延長部Ｇ１の先端側のいずれか）の間にゴム等の伸縮力が得られる可撓性部材による紐状のものによって、結び付けることによっても同一目的を達成することができ、磁石の反発力によっても、スプリングと同種の効果を得ることも可能である。
【図面の簡単な説明】
【００３６】
【図１】図１は本発明の安定構造をいれる前の基本的な構造を説明するための斜視図である。
【図２】図２は、図１の部分拡大図である。
【図３】図３は図１の畜舎の外側から観察した斜視図
【図４】図４は、時期調節装置Ｅをスプリングの伸縮によって構成した例を示す斜視図である。
【図５】図５は、図４の該スプリングＳ１並びにＳ２を中心に拡大視した斜視図である。
【図６】図６は、変形型の固定滑車を利用して時期調節装置を構成した、別の基本的な構造を示す斜視図である。
【図７】第１番目の安定構造を追加させた状態の入気開閉窓（閉じた状態）を示す斜視図である。
【図８】第１番目の安定構造を追加させた状態の入気開閉窓（中開の状態）を示す斜視図である。
【図９】第１番目の安定構造を追加させた状態の入気開閉窓（開放状態）を示す斜視図である。
【図１０】第２番目の安定構造を追加させた状態の入気開閉窓（閉じた状態）を示す斜視図である。
【図１１】第２番目の安定構造を追加させた状態の入気開閉窓（中開の状態）を示す斜視図である。
【図１２】第２番目の安定構造を追加させた状態の入気開閉窓（開放状態）を示す斜視図である。
【符号の説明】
【００３７】
［図１における符号の説明］
F1…入気開閉窓
A1…メインケーブル
E1…ケーブル送り装置
F1…入気開閉窓
A4…サブケーブル
F4…延長グリップ部
１…鶏舎
Ｅ…時期調節装置（Ｘ，Ｙ，Ｚ）
A2…圧着具
S1…スプリング
S2…スプリング
S3…スプリング
E6…変形型の軸固定滑車
Ｇ１…延長部
Ｇ１'…延長部
Ｇ２…バネ要素
Ｇ３…下方力点端部
Ｇ４…バネ上方力点端部（開閉端部）
Ｇ５…紐状部
Ｇ５'…紐状部
【図１】
2007063906.tif 000003
【図２】
2007063906.tif 000004
【図３】
2007063906.tif 000005
【図４】
2007063906.tif 000006
【図５】
2007063906.tif 000007
【図６】
2007063906.tif 000008
【図７】
2007063906.tif 000009
【図８】
2007063906.tif 000010
【図９】
2007063906.tif 000011
【図１０】
2007063906.tif 000012
【図１１】
2007063906.tif 000013
【図１２】
2007063906.tif 000014